(57)【要約】【課題】  配線用のケーブルやコードの挟み込みを確実に防止することのできる床暖房パネルを提供すること。【解決手段】  電熱式ヒータを内蔵し、縦長のパネル１の裏面側横方向に電源供給用のケーブルやコードを納める配線溝２が形成され、この配線溝に臨んでコネクタ３が設けられ、コネクタよりパネルの一側端側の配線溝が一定の長さを有する定寸配線溝２１とされ、コネクタよりパネルの他側端側の配線溝は定寸配線溝より幅広とされてケーブルやコードの余長分を納めることのできる余長吸収配線溝２２とされた床暖房パネルであって、定寸配線溝に、同溝内に突出し、ケーブルやコードを保持する凸部６が設けられる。【選択図】図１
2006266622.tif 000002
【特許請求の範囲】
【請求項１】
電熱式ヒータを内蔵し、縦長のパネルの裏面側横方向に電源供給用のケーブルやコードを納める配線溝が形成され、この配線溝に臨んでコネクタが設けられ、コネクタよりパネルの一側端側の配線溝が一定の長さを有する定寸配線溝とされ、コネクタよりパネルの他側端側の配線溝は定寸配線溝より幅広とされてケーブルやコードの余長分を納めることのできる余長吸収配線溝とされた床暖房パネルであって、定寸配線溝に、同溝内に突出し、ケーブルやコードを保持する凸部が設けられていることを特徴とする床暖房パネル。
【請求項２】
余長吸収配線溝にも同溝内に突出し、ケーブルやコードを保持する凸部がコネクタの近傍に設けられている請求項１記載の床暖房パネル。
【発明の詳細な説明】
【技術分野】
【０００１】
本願発明は、床暖房パネルに関するものである。
【背景技術】
【０００２】
室内暖房システムとして床暖房パネルが広く知られており、普及が進んでいる。床暖房パネルは温水循環型と電熱型の２種類に大別される。この内電熱型の床暖房パネルは、ニクロム線や面状発熱体などの電熱式ヒータを内蔵している。電熱式ヒータへの電源供給方式の一つとして図４に示したような横送り配線方式がある（たとえば、特許文献１参照）。
【０００３】
縦長のパネル１の裏面側横方向に電源供給用のケーブルやコードを納める配線溝２が形成され、この配線溝２に臨んでコネクタ３が設けられ、コネクタ３に、コントローラに接続された電源供給用のケーブルを接続し、また、横に隣接するパネル１のコネクタ３間を配線用コードで接続し、配線されたケーブルやコードが配線溝２内に納められる。
【０００４】
このような横送り配線方式の床暖房パネルについては、コネクタ３よりパネル１の一側端側の配線溝２が一定の長さを有する定寸配線溝２１とされ、コネクタ３よりパネル１の他側端側の配線溝２が定寸配線溝２１より幅広とされてケーブルやコードの余長分を納めることのできる余長吸収配線溝２２とされたものが提案されている。
【０００５】
図５に示したように、床下から引き出された立上げ配線ケーブル４や横隣のパネル１のコネクタ３に接続されたＶＶＦケーブル等の配線用コードは、定寸配線溝２１側でコネクタ３に接続され、横隣のパネル１のコネクタ３に接続する配線用コード５は、余長吸収配線溝２２側でコネクタ３に接続される。
【特許文献１】特開平５−１７２３５０号公報
【発明の開示】
【発明が解決しようとする課題】
【０００６】
以上の床暖房パネルについてはその後の検討により改善すべき点が見出された。
【０００７】
立上げ配線ケーブル４や配線用コード５をコネクタ３に接続する際には、図５に示したように、パネル１を裏返して行われる。したがって、パネル１を敷き込み床を形成するに当たってはパネル１を表に返す必要があるが、このとき、コネクタ３に接続した立上げ配線ケーブル４や配線用コード５が、敷かれたパネル１の側端縁部と表に返すパネル１の側端縁部の間に挟まりやすいという問題がある。このようなケーブルやコードの挟み込みを極力抑えるために、定寸配線溝２１の長さをできるだけ短くし、また、ケーブルやコードの長さを必要以上に長くしないといった試みがなされているが、それでもパネル１を表に返すときにケーブルやコードがパネル１間の側端縁部に挟まるという事態はしばしば起こり得た。このケーブルやコードの挟み込みという問題は、パネル１の新設のみだけでなく、敷設後に表面の傷付き等の理由によりパネル１を交換する場合にも共通する。
【０００８】
パネル１の交換時には、図６に示したように、敷き換えるパネル１を配線用コード５が長く延びるパネル１の上に裏返して配置し、長く延ばした配線用コード５を余長吸収配線溝２２側からコネクタ３に接続した後、パネル１を表に返しながら横隣となるパネル１から延びる短い方の配線用コード５を定寸配線溝２１側からコネクタ３に接続する。この際、定寸配線溝２１側からコネクタ３に接続する短い配線用コード５をパネル１を表に返す作業中手指や定規などで押さえ、配線用コード５の挟み込みが生じないように注意深く作業を行うが、最後にはどうしても手暗がりとなるため、横に隣接するパネル１の側端縁部間に配線用コード５が挟まることがある。
【０００９】
本願発明は、このような事情に鑑みてなされたものであり、配線用のケーブルやコードの挟み込みを確実に防止することのできる新しい床暖房パネルを提供することを課題としている。
【課題を解決するための手段】
【００１０】
本願発明は、上記の課題を解決するために、第１には、電熱式ヒータを内蔵し、縦長のパネルの裏面側横方向に電源供給用のケーブルやコードを納める配線溝が形成され、この配線溝に臨んでコネクタが設けられ、コネクタよりパネルの一側端側の配線溝が一定の長さを有する定寸配線溝とされ、コネクタよりパネルの他側端側の配線溝は定寸配線溝より幅広とされてケーブルやコードの余長分を納めることのできる余長吸収配線溝とされた床暖房パネルであって、定寸配線溝に、同溝内に突出し、ケーブルやコードを保持する凸部が設けられていることを特徴としている。
【００１１】
本願発明は、第２には、余長吸収配線溝にも同溝内に突出し、ケーブルやコードを保持する凸部がコネクタの近傍に設けられていることを特徴としている。
【発明の効果】
【００１２】
本願の第１の発明によれば、横に隣接するパネルの側端縁部間に配線用のケーブルやコードが挟み込まれるのを確実に防止することができる。
【００１３】
本願の第２の発明によれば、配線用のケーブルやコードがコネクタの両側で保持され、また、ケーブルやコードの両側での保持によりコネクタ自体が保持され、パネルを敷設する際にケーブルやコードとともにコネクタが垂れ下がるのが防止される。
【発明を実施するための最良の形態】
【００１４】
図１は、本願発明の床暖房パネルの一実施形態を示した要部斜視図である。
【００１５】
図１に示した床暖房パネルもまた、図４および図５に示した床暖房パネルと同様に、電熱式ヒータを内蔵し、縦長のパネル１の裏面側横方向に電源供給用のケーブルやコードを納める配線溝２が形成されている。この配線溝２に臨んでコネクタ３が設けられている。配線溝２において、コネクタ３よりパネル１の一側端側は一定の長さを有する定寸配線溝２１とされ、コネクタ３よりパネル１の他側端側は余長吸収配線溝２２とされている。コネクタ３はパネル１の一側端寄りに配置されており、このため、定寸配線溝２１は短く、余長吸収配線溝２２は長くなっている。また、余長吸収配線溝２２は、定寸配線溝２１より幅広とされてケーブルやコードの余長分を納めることができるようにされている。
【００１６】
そして、図１に示した床暖房パネルでは、定寸配線溝２１に、定寸配線溝２１内に突出する凸部６が設けられている。凸部６は２つ設けられており、定寸配線溝２１の対向端縁から定寸配線溝２１の内側に突出している。凸部６は、床下から引き出された立上げ配線ケーブル４や横隣のパネル１のコネクタ３に接続された配線用コードを定寸配線溝２１内に保持する機能を有する。床暖房パネルの敷設に当たっては、裏返しにされたパネル１のコネクタ３に定寸配線溝２１側より立上げ配線ケーブル４や配線用コードを接続し、立上げ配線ケーブル４や配線用コードを凸部６の間を通して定寸配線溝２１内に押し込む。この状態においてパネル１を表に返すと、立上げ配線ケーブル４や配線用コードが凸部６によって保持されて定寸配線溝２１内にとどまり、垂れ下がることはない。床暖房パネルを敷設するに当たってパネル１を表に返しても、横方向に隣接するパネル１の側端縁部間に立上げ配線ケーブル４や配線用コードが挟み込まれることはない。これは、床暖房パネルの交換時にも同様であり、手暗がりになっても、立上げ配線ケーブル４や配線用コードが横方向に隣接するパネル１の側端縁部間に挟まることはない。
【００１７】
このような凸部６は、定寸配線溝２１の対向する両側に設ける必要は必ずしもなく、立上げ配線ケーブル４や配線用コードを保持することができる限り、図２に示したように、片側のみの配設としてもよい。
【００１８】
図３は、本願発明の床暖房パネルの別の実施形態を示した要部斜視図である。
【００１９】
図３に示した床暖房パネルでは、図１に示した床暖房パネルの余長吸収配線溝２２に、余長吸収配線溝２２内に突出する凸部７が追加されている。凸部７は２つ設けられ、余長吸収配線溝２２の対向端縁から余長吸収配線溝２２内に突出している。また、凸部７は、余長吸収配線溝２２のコネクタ３の近傍に配置されている。このような床暖房パネルでは、凸部６により立上げ配線ケーブル４や配線用コードが保持され、凸部７により配線用コード５が保持される。このようにコネクタ３の左右両側でケーブルやコードが保持されると、その結果としてコネクタ３自体が保持されることとなり、パネル１を表に返したときにコネクタ３が垂れ下がるのが防止される。コネクタ３およびケーブルやコードの周辺は、通常、紙、樹脂シート等から形成される配線部カバー８により閉じられ、コネクタ３は配線部カバー８の強度と配線部カバー８を取り付ける両面テープ９の粘着力により垂れ下がらないように保持されているが、配線部カバー８の強度および両面テープ９の貼付面積の制約等から保持力が不十分な場合もあった。しかしながら、図３に示した床暖房パネルでは、コネクタ３自体がケーブルやコードの保持により保持されるため、コネクタ３の垂れ下がりは十分に防止される。
【００２０】
なお、凸部７は、凸部６と同様に、配線用コード５を保持することができる限りその数に制限はなく、余長吸収配線溝２２の片側に１つとすることもできる。また、凸部６、７は、ともに、配線溝２の彫り残しにより形成することができ、形成容易である。
【００２１】
本願発明は、以上の実施形態に制限されることはない。パネルや電熱式ヒータなどの構成および構造は特に制限されない。
【図面の簡単な説明】
【００２２】
【図１】本願発明の床暖房パネルの一実施形態を示した要部斜視図である。
【図２】本願発明の床暖房パネルの別の実施形態を示した要部斜視図である。
【図３】本願発明の床暖房パネルの別の実施形態を示した要部斜視図である。
【図４】床暖房パネルを示した斜視図である。
【図５】図４に示した床暖房パネルの敷設状態を示した斜視図である。
【図６】床暖房パネルの交換時の状態を示した要部斜視図である。
【符号の説明】
【００２３】
１    パネル
２    配線溝
２１    定寸配線溝
２２    余長吸収配線溝
３    コネクタ
４    立上げ配線ケーブル
５    配線用コード
６    凸部
７    凸部
８    配線部カバー
９    両面テープ
【図１】
2006266622.tif 000003
【図２】
2006266622.tif 000004
【図３】
2006266622.tif 000005
【図４】
2006266622.tif 000006
【図５】
2006266622.tif 000007
【図６】
2006266622.tif 000008